(57)【特許請求の範囲】
【請求項１】
流入された原水を、この原水の流路に沿って直列に配設された複数の池に順次通流させ、各池を通流する過程で当該池に対して予め定められた水処理を行うことによって、前記流入された原水を飲料可能な浄水として送水する水処理システムにおいて、
前記原水の流路に直列に配設された各池のうち前段に位置する池の処理水に対する次亜塩素酸ナトリウムの注入量と紫外線の照射量との調整を行う前段注入照射制御部と、
前記原水の流路に直列に配設された各池のうち中段に位置する池の処理水に対する次亜塩素酸ナトリウムの注入量と紫外線の照射量との調整を行う中段注入照射制御部と、
前記原水の流路に直列に配設された各池のうち後段に位置する池の処理水に対する次亜塩素酸ナトリウムの注入量と紫外線の照射量との調整を行う後段注入照射制御部と
を備えたことを特徴とする水処理システム。
【請求項２】
前記流入される原水の原水濁度を測定する濁度測定手段を有し、
前記前段注入照射制御部は、前段に位置する池の処理水の流入量及び処理水の濁度を測定し、前記原水濁度が高いとき前記流入量と処理水の濁度の積に応じた量の次亜塩素酸ナトリウムを前記処理水に注入し、前記原水濁度が通常のとき合計注入照射量が前記積に応じた量となる紫外線及び次亜塩素酸ナトリウムを前記処理水に注入照射し、前記原水濁度が低いとき前記積に応じた量の紫外線を前記処理水に照射し、
前記中段注入照射制御部は、中段に位置する池の処理水の流入量及び処理水の濁度を測定し、前記原水濁度が高いとき前記積に応じた量の次亜塩素酸ナトリウムを前記処理水に注入し、前記原水濁度が通常のとき前記積に応じた量の紫外線を前記処理水に照射し、前記原水濁度が低いと前記積に応じた量の紫外線を前記処理水に照射し、
前記後段注入照射制御部は、後段に位置する池の処理水の流入量及び処理水の濁度を測定し、前記原水濁度が高いとき合計注入照射量が前記積に応じた量となる次亜塩素酸ナトリウム及び紫外線を前記処理水に注入照射し、前記原水濁度が通常のとき前記積に応じた量の次亜塩素酸ナトリウムを前記処理水に注入し、前記原水濁度が低いとき合計注入照射量が前記積に応じた量となる紫外線及び次亜塩素酸ナトリウムを前記処理水に注入照射する
ことを特徴とする請求項１記載の水処理システム。
【請求項３】
流入された原水を、この原水の流路に沿って直列に配設された複数の池に順次通流させ、各池を通流する過程で当該池に対して予め定められた水処理を行うことによって、前記流入された原水を飲料可能な浄水として送水する水処理システムにおいて、
前記流入される原水の原水濁度を測定する濁度測定手段と、
前記原水の流路に直列に配設された前記各池のうち前段に位置する池の処理水に対する次亜塩素酸ナトリウムの注入量及び紫外線の照射量を制御する前段注入照射制御部と、
前記原水の流路に直列に配設された前記各池のうち中段に位置する池の処理水に対する次亜塩素酸ナトリウムの注入量及び紫外線の照射量を制御する中段注入照射制御部と、
前記原水の流路に直列に配設された前記各池のうち後段に位置する池の処理水に対する次亜塩素酸ナトリウムの注入量及び紫外線の照射量を制御する後段注入照射制御部と、
前記濁度測定手段で測定された原水濁度が予め定められた上側基準値を超えた高濁度の場合、前記前段注入照射制御部に次亜塩素酸ナトリウムの注入のみを指示し、前記中段注入照射制御部に次亜塩素酸ナトリウムの注入のみを指示し、後段注入照射制御部に次亜塩素酸ナトリウムの注入及び紫外線の照射を指示する高濁度パターン制御手段と、
前記濁度測定手段で測定された原水濁度が前記上側基準値未満でかつ予め定められた下側基準値を超えた中濁度の場合、前記前段注入照射制御部に次亜塩素酸ナトリウムの注入及び紫外線の照射を指示し、前記中段注入照射制御部に紫外線の照射のみを指示し、後段注入照射制御部に次亜塩素酸ナトリウムの注入のみを指示する中濁度パターン制御手段と、
前記濁度測定手段で測定された原水濁度が前記下側基準値未満の低濁度の場合、前記前段注入照射制御部に紫外線の照射のみを指示し、前記中段部注入照射制御部に紫外線の照射のみを指示し、後段注入照射制御部に次亜塩素酸ナトリウムの注入及び紫外線の照射を指示する低濁度パターン制御手段と
を備えたことを特徴とする水処理システム。
【請求項４】
前記各注入照射制御部は、注入照射対象の池における処理水の流入量及び処理水の濁度を測定し、この流入量と処理水の濁度に積に応じた量の次亜塩素酸ナトリウムと紫外線と少なくともいずれか一方を前記処理水に注入照射することを特徴とする請求項３記載の水処理システム。
【請求項５】
前記測定された処理水の濁度を次亜塩素酸ナトリウムの必要注入量に変換する濁度注入量変換部と、前記測定された処理水の濁度を紫外線の必要照射量に変換する濁度照射量変換部とを備えたことを請求項３記載の水処理システム。
【請求項６】
前記指定された照射量に対応する紫外線ランプの点灯数を設定する紫外線ランプ数設定部と、指定された注入量に対応する次亜塩素酸ナトリウムの注入ポンプ台数を設定する注入ポンプ駆動部とを備えたことを請求項５記載の水処理システム。
【請求項７】
前記原水の原水濁度及び各処理水の濁度は、濁度計で計測された濁度を、蛍光分析計、紫外線計、微粒子カウンタで測定された各測定値で補正した濁度であることを特徴とする請求項１から６のいずれか１項記載の水処理システム。
【請求項８】
前記複数の複数の池は、原水の流路の上流側から下流側に向かって配設された少なくとも沈砂池、着水池、沈殿池、濾過池、塩素混和池、配水池を含むことを特徴とすることを特徴とする請求項１から７のいずれか１項記載の水処理システム。
【発明の詳細な説明】
【技術分野】
【０００１】
本発明は流入された原水を水処理して飲料可能な浄水として送水する浄水場施設における水処理システムに関する。
【背景技術】
【０００２】
各家庭や各事業所に供給する飲料可能な生活用水を供給する浄水場施設においては、例えば河川から取水した原水を沈砂池、着水池、沈殿池、ろ過池、塩素混和池、配水池を順次通流させ、各池を通流する過程で各池毎に対応する各水処理を行うことによって、原水を飲料可能な浄水として配水池から各需要者に配水する。
【０００３】
このような浄水場施設においては、原水に流入当初から含まれる大きな大きな砂、ゴミなどは沈砂池に沈めて取除かれる。さらに、次の着水池において、次亜塩素酸ナトリウム、苛性ソーダ等を注入して、この原水に含まれる菌や藻に対する第１回目の殺菌、殺藻を行う。次に、フロック形成池にて、ポリ塩化アルミニウム（通称；ＰＡＣ）を入れて、不純物を固まりにして取除く。そして、沈殿池にて微粒子を沈殿させると共に次亜塩素酸ナトリウムを用いた第２回目の殺菌、殺藻を行う。
【０００４】
次に、ろ過池でこの原水を砂等で濾過し、塩酸混和池において、これまでの各池における水処理にて飲料可能に浄水された処理水に含まれる塩素の含有量を調整して、次亜塩素酸ナトリウムを用いた第３回目の殺菌、殺藻を行う。最後に、配水池に蓄積されたのち各需要者に配水される。
【０００５】
一般に、このような浄水場施設において、原水に流入当初から含まれる菌や藻、及び浄水場施設における各池にて発生したり増殖した菌や藻に対する殺菌や殺藻を実施する薬剤として、日本国においては、前述したように、次亜塩素酸ナトリウムのみが採用されていた。
【０００６】
この次亜塩素酸ナトリウムの浄水場施設内における注入位置は、前述したように、着水池（第１回目、前段）、沈殿池（第２回目、中段）、塩酸混和池（第３回目、後段）の３箇所である。
【０００７】
なお、浄水場施設において、次亜塩素酸ナトリウムの注入に代えて紫外線を各処理水に対して紫外線の照射を行うことが特許文献１に提案されているが、実用化されていない。
【特許文献１】特開２００４−１８８２７３号公報
【発明の開示】
【発明が解決しようとする課題】
【０００８】
しかしながら、上述した次亜塩素酸ナトリウムのみを殺菌、殺藻の対象薬剤とする浄水施設においてもまだ解消すべき次のような課題があった。
【０００９】
すなわち、浄水場施設において、次亜塩素酸ナトリウムの注入位置は、前述したように、前段、中段、後段との３カ所である。しかしながら、近年、次亜塩素酸ナトリウムによる殺藻、消毒に起因して生じる副生成物質（トリハロメタン生成）が発がん性物質である可能性が大きいと指摘されている。したがって、生じた副生成物質（トリハロメタン生成）を抑制して、この殺藻、消毒された水を浄水場施設から各需要家へ配水する必要がある。そのために、次亜塩素酸ナトリウムの前段、中段、後段の注入量の割合を前段から後段へ移動させるようにしている。
【００１０】
しかしながら、逆に言えば、前段における次亜塩素酸ナトリウムの注入量が減少することは、沈砂池、着水池等の前段の各池に対する原水又はこの原水に近い処理水の殺藻、消毒が円滑に進まないことを意味する。その結果、沈砂池、着水池において、藻類が大量に発生して、この藻類が前段及び中段における沈砂池、着水池、ろ過池（砂の層で構成されている）の砂の表面に付着して、沈殿機能やろ過機能を阻害する等の障害が発生する。そのために、ろ過池を閉塞させたり、ろ過池の洗浄周期が頻繁になるなどの浄水場施設の稼働率低下の要因となる。
【００１１】
特に夏季において藻類が大量に発生する時期には、次亜塩素酸ナトリウムの注入だけでは、藻類や細菌類の発生を的確に制御できていない問題があった。
【００１２】
また後段の池に対して、次亜塩素酸ナトリウムの投入が過度になり、この浄水場施設から各需要家に送水における飲料水に含まれる総次亜塩素酸ナトリウムの比率が高まり、消費者（需要家）側で塩素臭が気になるなどの問題が生じる。
【００１３】
本発明はこのような事情に鑑みてなされたものであり、殺菌、消毒剤として、従来の次亜塩素酸ナトリウムに加えて、紫外線を併用することにとり、次亜塩素酸ナトリウムによる殺藻、消毒に起因して生じる副生成物質の発生量を抑制した状態で、藻類や細菌類の発生をも十分抑制でき、浄水場施設の稼働率を上昇できるとともに運営費（ランニングコスト）を低下でき、さらに、この浄水場施設から送水される飲料水の品質向上を図れる水処理システムを提供することを目的とする。
【課題を解決するための手段】
【００１４】
上記課題を解消するために、本発明は、流入された原水を、この原水の流路に沿って直列に配設された複数の池に順次通流させ、各池を通流する過程で当該池に対して予め定められた各水処理を行うことによって、流入された原水を飲料可能な浄水として送水する水処理システムにおいて、原水の流路に直列に配設された各池のうち選択された池の処理水に対して、当該処理水の濁度に応じた量の次亜塩素酸ナトリウム及び紫外線を注入照射するようにしている。
【００１５】
このように構成された水処理システムにおいては、選択された池の処理水に対して従来の次亜塩素酸ナトリウムの注入に加えて紫外線を照射するようにしている。紫外線は、次亜塩素酸ナトリウムと同様に池の処理水に対して殺藻や殺菌を行う。すなわち、紫外線ランプを設置することにより、紫外線を直接的に又は間接的に照射することにより、藻類の死滅、藻類の不活性化（細胞分裂を行なわない）、細菌類（大腸菌ほか）の死滅化を行なう。なお、日本国内の浄水分野では紫外線（ＵＶ）の照射は、まだ認められていないが、下水道の分野では、大腸菌を殺菌する目的から適用は進んでいる。
【００１６】
さらに、紫外線を照射しても、トリハロメタン等の副生成物質は生成されない。しかしながら、池の処理水が濁っていると、紫外線が水中に入りにくいので、濁った処理水に対する殺藻や殺菌の効率が低下する。なお、次亜塩素酸ナトリウムの殺藻や殺菌の効率は処理水の濁度に大きく左右されることはない。
【００１７】
したがって、処理水の濁度が高いときには次亜塩素酸ナトリウムを使用し、処理水の濁度が低いときには紫外線を使用することにより、浄水場施設を効率運転できる。
【００１８】
また、別の発明は上記水処理システムにおいて、原水の流路に直列に配設された各池のうち前段に位置する池の処理水に対する次亜塩素酸ナトリウムの注入量と紫外線の照射量との調整を行う前段注入照射制御部と、原水の流路に直列に配設された各池のうち中段に位置する池の処理水に対する次亜塩素酸ナトリウムの注入量と紫外線の照射量との調整を行う中段注入照射制御部と、原水の流路に直列に配設された各池のうち後段に位置する池の処理水に対する次亜塩素酸ナトリウムの注入量と紫外線の照射量との調整を行う後段注入照射制御部とを備えている。
【００１９】
このように構成された水処理システムにおいては、この原水の流路に沿って直列に配設された複数の池における濁度は一般的に後段に行くほど低下するので、前段、中段、後段毎に、処理水に対する次亜塩素酸ナトリウムの注入量と紫外線の照射量との割合をその時点における濁度に基づいて最適値に設定可能である。
【００２０】
また、別の発明においては、上述した発明の水処理システムにおいて、流入される原水の原水濁度を測定する。注入照射制御部は、前段に位置する池の処理水の流入量及び処理水の濁度を測定し、源水濁度が高いとき流入量と処理水の濁度の積に応じた量の次亜塩素酸ナトリウムを処理水に注入し、源水濁度が通常のとき合計注入照射量が積に応じた量となる紫外線及び次亜塩素酸ナトリウムを処理水に注入照射し、源水濁度が低いとき積に応じた量の紫外線を前記処理水に照射する。
【００２１】
また、中段注入照射制御部は、中段に位置する池の処理水の流入量及び処理水の濁度を測定し、源水濁度が高いとき積に応じた量の次亜塩素酸ナトリウムを処理水に注入し、濁度が通常のとき積に応じた量の紫外線を前記処理水に照射し、源水濁度が低いと積に応じた量の紫外線を処理水に照射する。
【００２２】
さらに、後段注入照射制御部は、後段に位置する池の処理水の流入量及び処理水の濁度を測定し、源水濁度が高いとき合計注入照射量が前記積に応じた量となる次亜塩素酸ナトリウム及び紫外線を処理水に注入照射し、源水濁度が通常のとき積に応じた量の次亜塩素酸ナトリウムを処理水に注入し、源水濁度が低いとき合計注入照射量が積に応じた量となる紫外線及び次亜塩素酸ナトリウムを処理水に注入照射する。
【００２３】
このように構成された水処理システムにおいては、原則として、前段においては次亜塩素酸ナトリウムの注入量を抑制し紫外線の照射量を増加し、後段における次亜塩素酸ナトリウムの注入量を増加し紫外線の照射量を低下する。しかし、前段における処理水の濁度が高い場合は、紫外線の照射量を減らして次亜塩素酸ナトリウムの注入量を増加する。このように、前段、中段、後段の各段と各段における濁度との組合せに基づいて、各段における処理水に対する次亜塩素酸ナトリウムの注入量と紫外線の照射量との割合を調整しているので、より効率的に殺網、殺菌を実施できる。
【００２４】
さらに、別の発明は、上述した水処理システムにおいて、流入される原水の原水濁度を測定する濁度測定手段を設けている。また、原水の流路に直列に配設された各池のうち前段に位置する池の処理水に対する次亜塩素酸ナトリウムの注入量及び紫外線の照射量を制御する前段注入照射制御部と、原水の流路に直列に配設された各池のうち中段に位置する池の処理水に対する次亜塩素酸ナトリウムの注入量及び紫外線の照射量を制御する中段注入照射制御部と、原水の流路に直列に配設された各池のうち後段に位置する池の処理水に対する次亜塩素酸ナトリウムの注入量及び紫外線の照射量を制御する後段注入照射制御部とを設けている。
【００２５】
さらに、濁度測定手段で測定された原水濁度が予め定められた上側基準値を超えた高濁度の場合、前段注入照射制御部に次亜塩素酸ナトリウムの注入のみを指示し、中段注入照射制御部に次亜塩素酸ナトリウムの注入のみを指示し、後段注入照射制御部に次亜塩素酸ナトリウムの注入及び紫外線の照射を指示する高濁度パターン制御手段と、濁度測定手段で測定された原水濁度が上側基準値未満でかつ予め定められた下側基準値を超えた中濁度の場合、前段注入照射制御部に次亜塩素酸ナトリウムの注入及び紫外線の照射を指示し、中段注入照射制御部に紫外線の照射のみを指示し、後段注入照射制御部に次亜塩素酸ナトリウムの注入のみを指示する中濁度パターン制御手段と、濁度測定手段で測定された原水濁度が前記下側基準値未満の低濁度の場合、前段注入照射制御部に紫外線の照射のみを指示し、中段部注入照射制御部に紫外線の照射のみを指示し、後段注入照射制御部に次亜塩素酸ナトリウムの注入及び紫外線の照射を指示する低濁度パターン制御手段とを備えている。
【００２６】
このように構成された水処理システムにおいては、この浄水場施設に流入する原水の濁度に応じて、前段、中段、後段における処理水に対する次亜塩素酸ナトリウムの注入量と紫外線の照射量との割合を予めパターン化しているので、次亜塩素酸ナトリウムの注入及び紫外線の照射に対するより細かい制御が可能である。
【００２７】
また、別の発明においては、各注入照射制御部は、注入照射対象の池における処理水の流入量及び処理水の濁度を測定し、この流入量と濁度に積に応じた量の次亜塩素酸ナトリウムと紫外線と少なくともいずれか一方を処理水に注入照射する。
【００２８】
さらに、別の発明は、上述した発明の水処理システムに対して、測定された処理水の濁度を次亜塩素酸ナトリウムの必要注入量に変換する濁度注入量変換部と、測定された処理水の濁度を紫外線の必要照射量に変換する濁度照射量変換部とを備えている。
【００２９】
このように構成された水処理システムにおいて、次亜塩素酸ナトリウムや紫外線を注入、照射する目的は、処理水に含まれる藻、菌に対する殺藻、殺菌等であるが、処理水に含まれる藻等が大量に発生すると濁度が上昇すると見なし、この濁度に応じて次亜塩素酸ナトリウムや紫外線の注入照射量を設定している。
【００３０】
さらに、別の発明は、上述した発明の水処理システムに対して、指定された照射量に対応する紫外線ランプの点灯数を設定する紫外線ランプ数設定部と指定された注入量に対応する次亜塩素酸ナトリウムの注入ポンプ台数を設定する注入ポンプ駆動部とを備えている。
【００３１】
さらに、別の発明は、原水の原水濁度及び各処理水の濁度は、濁度計で計測された濁度を、蛍光分析計、紫外線計、微粒子カウンタで測定された各測定値で補正した濁度を採用している。
【００３２】
このように、単純に処理水の不透明度を測定する濁度計から得られる濁度に対して、生体反応を検出する機能を有す蛍光分析計及び紫外線計の測定値、藻の細かい断片の数を示す微粒子カウンタの測定値で補正した濁度を採用している。したがって、処理水に含まれる藻、菌の量により対応した濁度を採用できる。
【００３３】
また、別の発明は、複数の複数の池は、原水の流路の上流側から下流側に向かって配設された少なくとも沈砂池、着水池、沈殿池、濾過池、塩素混和池、配水池を含む。
【発明の効果】
【００３４】
本発明においては、殺菌、消毒剤として、従来の次亜塩素酸ナトリウムに加えて、紫外線を併用し、殺菌、消毒対象の処理水の濁度に応じて、次亜塩素酸ナトリウムの吸入量と紫外線の照射量との割合を調整している。
【００３５】
したがって、次亜塩素酸ナトリウムによる殺藻、消毒に起因して生じる副生成物質（トリハロメタン生成）の発生量を抑制した状態で、藻類や細菌類の発生をも十分抑制でき、浄水場施設の稼働率を上昇できるとともに運営費（ランイングコスト）を低下でき、さらに、この浄水場施設から送水される飲料水の品質向上を図ることができる。
【発明を実施するための最良の形態】
【００３６】
以下、本発明の一実施形態を図面を用いて説明する。
【００３７】
図１は本発明の一実施形態の水処理システム、及びこの水処理システムが組込まれた浄水場施設を示す模試図である。
【００３８】
この浄水場施設においては、例えば、河川から供給された原水１の流路の上流側から下流側に向かって、沈砂池２、着水池３、フロック形成池４、沈殿池５、中間混和池６、ろ過池７、塩素混和池８、配水池９が配設され、原水１は上記各池２〜９を通流する過程で各池に対して予め定められた水処理を行うことにより、原水１を飲料可能な浄水１０として、配水池９から各需要者へ送水される。
【００３９】
具体的には、原水１に流入当初から含まれる大きな大きな砂、ゴミなどは沈砂池２に沈めて取除かれたのち次の着水池３に流入する。着水池３に沈砂池２から流入する原水１からなる処理水の流量は流量計１１ａで検出されて本発明の実施形態の水処理システムを構成する前段部注入照射制御部１３へ入力される。さらに、着水池３に沈砂池２から流入する原水１からなる処理水の「濁度」は濁度測定部１４ａで測定されて、監視制御部１２及び前段部注入照射制御部１３へ入力される。
【００４０】
この着水池３にはＮ台の注入ポンプ１５ａから前段部注入照射制御部１３から指定された量の次亜塩素酸ナトリウムが注入される。さらに、この着水池３にはＮ本のＵＶ（紫外線）ランプ１６ａから前段部注入照射制御部１３から指定された量の紫外線が照射される。したがって、この着水池３は次亜塩素酸ナトリウム及び紫外線の前段の注入照射ポイントとなる。前記着水池３には、前記次亜塩素酸ナトリウムの他に苛性ソーダ１７が注入される。そして、苛性ソーダ１７ａや次亜塩素酸ナトリウムや紫外線にて、この着水池３内の処理水に含まれる藻や菌に対する殺藻や殺菌が実施される。
【００４１】
濁度測定部１４ａ内には、着水池３内の処理水の透明度から処理水の濁度を測定する濁度計、着水池３内の処理水内に浮遊する微粒子の数を計数する微粒子数カウンタ、例えば藻類の生体情報を検出する蛍光分析計、同じく例えば波長７３０ｎｍの紫外線照射でもって、生物を検出するＵＶ（紫外線）計が組込まれている。
【００４２】
次亜塩素酸ナトリウムや紫外線を注入、照射する目的は、処理水に含まれる藻、菌に対する殺藻、殺菌等であるが、処理水に含まれる藻等が大量に発生すると濁度が上昇すると見なし、この濁度に応じて次亜塩素酸ナトリウムや紫外線の目標の注入照射量を設定している。したがって、濁度測定部１４ａから前段部注入照射制御部１３へ送出される「濁度」は、水中に含まれる藻類、珪藻類、ラン藻類、細菌類や砂、粘土質で示される濁度成分のうち、その主成分である藻類、細菌類を抽出した濁度である。より、具体的には、処理水の透明度から求められる光学的な濁度を微粒子数カウンタ、蛍光分析計、ＵＶ（紫外線）計の各計測値で補正した濁度となる。
【００４３】
なお、建設費等の関係から濁度測定部１４ａを処理水の透明度から処理水の濁度を測定する濁度計のみで構成することも可能である。
【００４４】
着水池３で前段（第１回目）の殺菌、殺藻が終了した処理水は流量計１１ｂ、濁度測定部１４ｂを経て、フロック形成池４にて、ポリ塩化アルミニウム（通称；ＰＡＣ１８ａ）が注入される。このＰＡＣ１８ａにて処理水に含まれる不純物が固形化されて取除かれる。その後、処理水は中段の池としての沈殿池５へ流入する。流量計１１ｂで測定された流量は中段段部注入照射制御部１９へ送出される。また、濁度測定部１４ｂで測定された「濁度」は中段段部注入照射制御部１９へ送出される。
【００４５】
沈殿池５にはＮ台の注入ポンプ１５ｂから中段部注入照射制御部１９で指定された量の次亜塩素酸ナトリウムが注入される。さらに、この沈殿池５にはＮ本のＵＶ（紫外線）ランプ１６ｂから中段部注入照射制御部１９で指定された量の紫外線が照射される。したがって、この沈殿池５は次亜塩素酸ナトリウム及び紫外線の中段の注入照射ポイントとなる。沈殿池５には、次亜塩素酸ナトリウムの他に苛性ソーダ１７ｂが注入される。そして、苛性ソーダ１７ｂや次亜塩素酸ナトリウムや紫外線にて、この沈殿池５内の処理水に含まれる藻や菌に対する殺藻や殺菌が実施される。さらに、この沈殿池５内で処理水に含まれる微粒子が沈殿される。
【００４６】
この沈殿池５にて中段（第２回目）の殺菌、殺藻が終了した処理水は、次の中間混和池６でＰＡＣ１８ｂが加えられた後、次のろ過池７でろ過が実施される。
【００４７】
ろ過池７でろ過が実施された処理水は、流量計１１ｃ、濁度測定部１４ｃを経て、塩素混和池８に導入される。流量計１１ｃで測定された流量は後段部注入照射制御部２０へ送出される。また、濁度測定部１４ｃで測定された「濁度」は後段部注入照射制御部２０へ送出される。
【００４８】
塩素混和池８にはＮ台の注入ポンプ１５ｃから後段部注入照射制御部２０から指定された量の次亜塩素酸ナトリウムが注入される。さらに、この塩素混和池８にはＮ本のＵＶ（紫外線）ランプ１６ｃから後段部注入照射制御部２０から指定された量の紫外線が照射される。したがって、この塩素混和池８は次亜塩素酸ナトリウム及び紫外線の後段部の注入照射ポイントとなる。
【００４９】
さらに、この塩素混和池８の処理水には、苛性ソーダ１７ｃが注入される。そして、この塩素混和池８においては、これまでの各池２〜７における水処理にて飲料可能に浄水された処理水に含まれる塩素の含有量を調整して、苛性ソーダ１７ｃ、次亜塩素酸ナトリウム、紫外線を用いた第３回目の殺菌、殺藻を行う。最後に、処理水は配水池９に蓄積されたのち、各需要家に浄水１０として配水される。
【００５０】
図２は、水処理システムにおけるコンピュータからなる監視制御部１２の概略構成を示すブロック図である。この監視制御部１２内には、注入照射制御パターンテーブル２１、表示部２２とキーボードとマウスとからなる操作部２３からなる入出力部２４、原水濁度判定部２５が設けられている。
【００５１】
注入照射制御パターンテーブル２１内には、図３に示すように、図１の濁度測定部１４ａから入力された沈砂池２から着水池３へ流入される原水１の濁度における高濁度（濁度１０以上、濁度範囲３１ａ）、中濁度（濁度５以上１０未満、濁度範囲３１ｂ）、低濁度（濁度５未満、濁度範囲３１ｃ）の各濁度範囲３１ａ、３１ｂ、３１ｃが設定されている。そして、原水１の濁度がそれぞれ各濁度範囲３１ａ、３１ｂ、３１ｃであった場合における前段部（着水池３）、中段部（沈殿池５）、後段部（塩素混和池８）における次亜塩素酸ナトリウム及び紫外線の注入照射の制御パターン３２が予め設定されている。
【００５２】
例えば、原水１の濁度が濁度１０以上の高濁度の濁度範囲３１ａの場合、前段部注入照射制御部１３は次亜塩素酸ナトリウムのみを用いて前段の着水池３の処理水に対する殺藻、殺菌を行う。さらに、中段部注入照射制御部１９も次亜塩素酸ナトリウムを用いて中段の沈殿池５の処理水に対する殺藻、殺菌を行う。また、後段部注入照射制御部２０は次亜塩素酸ナトリウム及び紫外線を用いて後段の塩素混和池８の処理水に対する殺藻、殺菌を行う。
【００５３】
また、原水１の濁度が濁度５以上１０未満の中濁度の濁度範囲３１ｂの場合、前段部注入照射制御部１３は紫外線及び次亜塩素酸ナトリウムを用いて前段の着水池３の処理水に対する殺藻、殺菌を行う。さらに、中段部注入照射制御部１９は紫外線を用いて中段の沈殿池５の処理水に対する殺藻、殺菌を行う。また、後段部注入照射制御部２０は次亜塩素酸ナトリウムのみを用いて後段の塩素混和池８の処理水に対する殺藻、殺菌を行う。
【００５４】
さらに、原水１の濁度が濁度５未満の低濁度の濁度範囲３１ｃの場合、前段部注入照射制御部１３は紫外線のみを用いて前段の着水池３の処理水に対する殺藻、殺菌を行う。さらに、中段部注入照射制御部１９も紫外線のみを用いて中段の沈殿池５の処理水に対する殺藻、殺菌を行う。また、後段部注入照射制御部２０は次亜塩素酸ナトリウムと紫外線を用いて後段の塩素混和池８の処理水に対する殺藻、殺菌を行う。
【００５５】
原水濁度判定部２５は、図１の前段における濁度測定部１４ａから入力された沈砂池２から着水池３へ流入される原水１の濁度が、上記の注入照射制御パターンテーブル２１に設定されたどの濁度範囲３１ａ、３１ｂ、３１ｃに所属するかを判定して、判定結果及び濁度を入出力部２４の表示部２２へ表示すると共に、判定結果を制御パターン読出部２６へ送出する。
【００５６】
制御パターン読出部２６は、注入照射制御パターンテーブル２１内における先に指定された濁度範囲３１ａ、３１ｂ、３１ｃに所属する前段部、中段部、後段部における次亜塩素酸ナトリウム及び紫外線の注入照射の各制御パターン３２を読出して、自動手動切換部２８を介して、各出力部３０ａ、３０ｂ、３０ｃから対応する前段部注入照射制御部１３、中段部注入照射制御部１９、後段部注入照射制御部２０へそれぞれ送出する。
【００５７】
制御パターン設定部２７は、動作モードが「手動モード」に設定された状態で、表示部２２に表示された原水１の濁度の濁度範囲３１ａ、３１ｂ、３１ｃを参照して、オペレータが操作部２３で操作入力した前段部注入照射制御部１３、中段部注入照射制御部１９、後段部注入照射制御部２０に対する各制御パターン３２を、手動に切換設定された自動手動切換部２８を及び各出力部３０ａ、３０ｂ、３０ｃを介して対応する注入照射制御部１３、１９、２０へ送出する。
【００５８】
各注入照射設定部２９ａ、２９ｂ、２９ｃは、オペレータが操作部２３で指定した前段部（着水池３）、中段部（沈殿池５）、後段部（塩素混和池８）の処理水に注入、照射する、次亜塩素酸ナトリウム及び紫外線の量（設定値）を、それぞれ出力部３０ａ、３０ｂ、３０ｃを介して、図１に示す前段部注入照射制御部１３、中段部注入照射制御部１９、後段部注入照射制御部２０へ送出する。
【００５９】
図４は、入出力部２４の表示部２２の表示画面３３を示す図である。この表示画面３３には、前段部注入照射制御部１３、中段部注入照射制御部１９、後段部注入照射制御部２０をそれぞれ指定する制御部指定釦３４ａ、３４ｂ、３４ｃ、前述した「次亜塩素酸ナトリウム」、「紫外線」、「次亜塩素酸ナトリウム＋紫外線」の３種類の各制御パターン３２を指定する制御パターン指定釦３５ａ、３５ｂ、３５ｃ、前段部注入照射制御部１３、中段部注入照射制御部１９、後段部注入照射制御部２０の制御モードを切換指定するモード切換釦３６が設けられている。
【００６０】
なお、制御パターン指定釦３５ａ、３５ｂ、３５ｃは、一つの注入照射制御部１３、１９、２０に対して、同時に複数押されことはない。また、動作モードとして、「コンピュータモード」、「自動モード」、「手動モード」が選択可能である。
【００６１】
さらに、この表示画面３３には、「手動モード」時に、前段部（着水池３）、中段部（沈殿池５）、後段部（塩素混和池８）の処理水に注入、照射する次亜塩素酸ナトリウム及び紫外線の量（単位体積当りの注入量、単位体積当りの照射量）を、操作者（オペレータ）がキーボード等の操作部２３を操作して書込む設定量入力部３７が設けられている。さらに、この表示画面３３には、原水濁度判定部２５から入力された原水濁度３８、濁度の判定結果３９が表示される。
【００６２】
図５は前段部注入照射制御部１３の概略構成を示すブロック図である。中段部注入照射制御部１９及び後段部注入照射制御部２０は前段部注入照射制御部１３とほぼ同じ構成であるので説明を省略する。
【００６３】
監視制御部１２において、モード切換釦３６で「コンピュータモード」又は「自動モード」が指定されている状態で、かつ、前段部注入照射制御部１３に対して、「次亜塩素酸ナトリウム」の制御パターン３２が自動指定された場合においては、出力部３０ａから次亜塩素酸ナトリウムの注入量制御部４６に対する駆動指令４６ａが入力する。なお、出力部３０ａから紫外線の照射量制御部４７へは駆動指令４７ａは入力しないので、照射量制御部４９は駆動せず着水池３の処理水に紫外線は照射されない。
【００６４】
濁度／注入量変換部４８内には、図６（ａ）に示すように、図１の濁度測定部１４ａから入力された着水池３へ流入される処理水（原水１）の濁度と、当該処理水に注入すべき次亜塩素酸ナトリウムの単位体積当たりの目標注入量（ＳＶ）との関係が記憶されている。そして、濁度／注入量変換部４８は、入力された濁度を次亜塩素酸ナトリウムの単位体積当たりの注入量（ＳＶ）に変換して、注入量制御部４６へ送出する。
【００６５】
注入量制御部４６はフイードフォワード制御（Ｆ．Ｆ制御）を実施する。具体的には、注入量制御部４６は、流量計１１ａの流量（ＰＶ）に単位体積当りの目標注入量（ＳＶ）を乗算した注入量（単位時間当たりの注入量）を注入ポンプ駆動部５０へ送出する。注入ポンプ駆動部５０は、注入量に応じた台数の注入ポンプ１５ｃを駆動する。その結果、着水池３の処理水に、「濁度」に対応した量の次亜塩素酸ナトリウムが注入される。
【００６６】
また、監視制御部１２において、モード切換釦３６で「コンピュータモード」又は「自動モード」が指定されている状態で、かつ、前段部注入照射制御部１３に対して、「紫外線」の制御パターン３２が自動指定された場合においては、出力部３０ａからら紫外線の照射量制御部４７へ駆動指令４７ａが入力し、次亜塩素酸ナトリウムの注入量制御部４６には駆動指令４６ａが入力されない。出力部３０ａから次亜塩素酸ナトリウムの注入量制御部４６へは駆動指令４６ａは入力しないので、注入量制御部４６は駆動せず着水池３の処理水に次亜塩素酸ナトリウムは注入されない。
【００６７】
濁度／照射量変換部４９内には、図６（ｂ）に示すように、図１の濁度測定部１４ａから入力された着水池３へ流入される処理水（原水１）の濁度と、当該処理水に照射すべき紫外線の単位体積当たりの目標照射量（ＳＶ）との関係が記憶されている。そして、濁度／照射量変換部４９は、入力された濁度を紫外線の単位体積当たりの照射量（ＳＶ）に変換して、照射量制御部４７へ送出する。
【００６８】
照射量制御部４７は、流量計１１ａの流量（ＰＶ）に単位体積当りの目標注入量（ＳＶ）を乗算した照射量（単位時間当たりの照射量）をＵＶランプ本数設定部５１へ送出する。ＵＶランプ本数設定部５１内には、図６（ｃ）に示すように、前記乗算した照射量と点灯すべきＵＶランプ１６ａの本数との関係が記憶されている。そして、ＵＶランプ本数設定部５１は、照射量制御部４７から指定された照射量に対応する本数のＵＶランプ１６ａを点灯する。よって、前段の着水池３の処理水に、「濁度」に対応した量の紫外線が照射される。
【００６９】
また、監視制御部１２において、モード切換釦３６で「コンピュータモード」又は「自動モード」が指定されている状態で、かつ、前段部注入照射制御部１３に対して、「次亜塩素酸ナトリウム＋紫外線」の制御パターン３２が自動指定された場合においては、出力部３０ａから次亜塩素酸ナトリウムの注入量制御部４６に対する駆動指令４６ａが入力するとともに、紫外線の照射量制御部４７にも駆動指令４７ａが入力される。
【００７０】
この注入量制御部４６と照射量制御部４７とが両方動作している状態においては、前段の着水池３の処理水の「濁度」に対して次亜塩素酸ナトリウムと紫外線とが注入、照射される。したがって、注入量制御部４６と照射量制御部４７とでそれぞれ個別に指定された注入量及び照射量をそれぞれ１／２に変更して、注入ポンプ駆動部５０及びＵＶランプ本数設定部５１へ送出する。
【００７１】
よって、前段の着水池３の処理水に、「濁度」に対応した量の次亜塩素酸ナトリウム及び紫外線が照射される。
【００７２】
以上で、監視制御部１２において、モード切換釦３６で「コンピュータモード」又は「自動モード」が指定されている状態で、かつ、原水１の「濁度」の濁度範囲３１ａ（高濁）、濁度範囲３１ｂ（中濁度）、濁度範囲３１ｃ（低濁度）における前段部注入照射制御部１３に指定された制御パターン３２が、それぞれ「次亜塩素酸ナトリウム」、「紫外線」、「次亜塩素酸ナトリウム＋紫外線」である場合における、この前段部注入照射制御部１３が行う前段の着水池３に対する次亜塩素酸ナトリウムの注入、紫外線の照射の具体的動作を説明した。
【００７３】
中段部注入照射制御部１９は前段部注入照射制御部１３とほぼ同じ構成であるので、監視制御部１２において、モード切換釦３６で「コンピュータモード」又は「自動モード」が指定されている状態で、かつ、原水１の「濁度」の濁度範囲３１ａ（高濁）、濁度範囲３１ｂ（中濁度）、濁度範囲３１ｃ（低濁度）における中段部注入照射制御部１９に指定された制御パターン３２が、それぞれ「次亜塩素酸ナトリウム」、「紫外線」、「次亜塩素酸ナトリウム＋紫外線」である場合における、この中段部注入照射制御部１９が行う中段の沈殿池５に対する次亜塩素酸ナトリウムの注入、紫外線の照射の具体的動作は、先に説明した前段部注入照射制御部１３とほぼ同じである。
【００７４】
さらに、後段部注入照射制御部２０も前段部注入照射制御部１３とほぼ同じ構成であるので、この後段部注入照射制御部２０が行う後段の塩素混和池８に対する次亜塩素酸ナトリウムの注入、紫外線の照射の具体的動作は、先に説明した前段部注入照射制御部１３とほぼ同じである。
【００７５】
このように、モード切換釦３６で「コンピュータモード」又は「自動モード」が指定されている状態においては、監視制御部１２内に設定された注入照射制御パターンテーブル２１に、原水１の各濁度範囲３１ａ（高濁）、濁度範囲３１ｂ（中濁度）、濁度範囲３１ｃ（低濁度）毎に設定された「次亜塩素酸ナトリウム」、「紫外線」、「次亜塩素酸ナトリウム＋紫外線」の各制御パターン３２に従って、前段の着水池３、中段の沈殿池５、後段の塩素混和池８に対する次亜塩素酸ナトリウムの注入、紫外線の照射が自動実施される。
【００７６】
具体的には、注入照射制御パターンテーブル２１の設定内容にも示すように、原則として、前段の着水池３対しては次亜塩素酸ナトリウムの注入量を抑制し紫外線の照射量を増加し、後段の塩素混和池８における次亜塩素酸ナトリウムの注入量を増加し紫外線の照射量を低下する。したがって、前段の着水池３対する大量の次亜塩素酸ナトリウム注入に起因する副生成物質（トリハロメタン生成）が極力抑制され、この浄水場施設から需要者に給水される浄水１０の水質安全性をより一層向上できる。
【００７７】
しかし、この浄水場施設に流入する原水１の濁度が高い場合、前段の着水池３に対する紫外線の照射量を減らして次亜塩素酸ナトリウムの注入量を増加する。このように、前段、中段、後段の各段と各段における源水濁度との組合せに基づいて、各段における処理水に対する次亜塩素酸ナトリウムの注入量と紫外線の照射量との割合を調整しているので、より効率的に殺網、殺菌を実施できる。
【００７８】
さらに、浄水場施設全体における次亜塩素酸ナトリウムの注入量を低減すれば、次亜塩素酸ナトリウム及び凝集剤（ＰＡＣ；ポリ塩化アルミニウム  水中の濁質を固まらして取り除く薬品）等の薬品コストを低下でき、浄水場施設のランニングコストを低下できる。
【００７９】
次に、監視制御部１２のモード切換釦３６が「手動モード」に選択設定された場合の前段部注入照射制御部１３、中段部注入照射制御部１９、後段部注入照射制御部２０の動作を説明する。
【００８０】
すなわち、監視制御部１２のモード切換釦３６が「手動モード」選択時に、制御部指定釦３４ａで前段部注入照射制御部１３が指定され、さらに「次亜塩素酸ナトリウム」の制御パターン指定釦３５ａが押されると、「次亜塩素酸ナトリウム」の制御パターン３２のハイレベルの指定信号３５ａａが監視制御部１２の出力部３０ａから出力される。なお、この時点では、「紫外線」、「次亜塩素酸ナトリウム＋紫外線」の制御パターン３２の指定信号３５ｂｂ、３５ｃｃはローレベルを維持する。
【００８１】
その結果、前段部注入照射制御部１３におけるアンドゲート４０が成立して、オアゲート４１を介して設定値切換回路４２を設定注入量側に切り換える。設定注入量は、監視制御部１２の表示部２２の表示画面３３の「前段注入量」の設定量入力部３７に書込まれ、図２の注入照射設定部２９ａから送出された設定注入量である。よって、操作者が設定した次亜塩素酸ナトリウムの設定値が注入量制御部４６へ入力する。
【００８２】
注入量制御部４６は、監視制御部１２のモード切換釦３６が「手動モード」選択時に、流量計１１ａの流量に単位体積当りの設定注入量を乗算した注入量（単位時間当たりの注入量）を注入ポンプ駆動部５０へ送出する。なお、この場合、濁度／注入量変換部４８から出力される着水池３の濁度を変換した目標注入量は用いない。
【００８３】
注入ポンプ駆動部５０は、注入量に応じた台数の注入ポンプ１５ｃを駆動する。その結果、着水池３の処理水に、操作者（オペレータ）が監視操作部１２で指定した量の次亜塩素酸ナトリウムが注入される。
【００８４】
また、監視制御部１２のモード切換釦３６が「手動モード」選択時に、制御部指定釦３４ａで前段部注入照射制御部１３が指定され、かつ「次亜塩素酸ナトリウム」の制御パターン指定釦３５ａが押された状態においては、アンドゲート４３は不成立であり、オアゲート４４の出力はローレベルであるので、設定値切換回路４５が初期値（＝０）側に切替わる。
【００８５】
照射量制御部４７は、監視制御部１２のモード切換釦３６が「手動モード」選択時で、初期値が０の場合は、ＵＶランプ本数設定部５１へ０の照射量を指定するので、実質的に前段の着水池３の処理水に紫外線が照射されることはない。
【００８６】
すなわち、前段部注入照射制御部１３の制御部指定釦３４ａ、及び「次亜塩素酸ナトリウム」の制御パターン指定釦３５ａが押された状態においては、着水池３の処理水に、操作者（オペレータ）が監視操作部１２で指定した量の次亜塩素酸ナトリウムのみ注入される。
【００８７】
また、監視制御部１２のモード切換釦３６が「手動モード」選択時で、制御部指定釦３４ａで前段部注入照射制御部１３が指定され、かつ「紫外線」の制御パターン指定釦３５ａが押された状態においては、アンドゲート４０は不成立であり、オアゲート４１の出力はローレベルであるので、設定値切換回路４２が初期値（＝０）側に切替わる。その結果、前述した照射量制御部４７の場合と同様の理由で次亜塩素酸ナトリウムが前段の着水池３の処理水に注入されることはない。
【００８８】
逆に、アンドゲート４３が成立し、オアゲート４４を介して設定値切換回路４５を設定照射量側に切り換える。設定照射量は、監視制御部１２の表示部２２の表示画面３３の「前段照射量」の設定量入力部３７に書込まれ、図２の注入照射設定部２９ａから送出された設定照射量である。よって、操作者が設定した紫外線の設定値が照射量制御部４７へ入力する。
【００８９】
照射量制御部４７は、監視制御部１２のモード切換釦３６が「手動モード」選択時に、流量計１１ａの流量に単位体積当りの設定照射量を乗算した照射量（単位時間当たりの照射量）をＵＶランプ本数設定部４７へ送出する。ＵＶランプ本数設定部４７は照射量に応じた本数のＵＶランプ１６ａを点灯する。なお、この場合、濁度／照射量変換部４９から出力される着水池３の濁度を変換した目標照射量は用いない。
【００９０】
すなわち、前段部注入照射制御部１３の制御部指定釦３４ａ、及び「紫外線」の制御パターン指定釦３５ｂが押された状態においては、着水池３の処理水に、操作者（オペレータ）が監視操作部１２で指定した量の紫外線が照射される。
【００９１】
また、監視制御部１２のモード切換釦３６が「手動モード」選択時で、制御部指定釦３４ａで前段部注入照射制御部１３が指定され、かつ「次亜塩素酸ナトリウム＋紫外線」の制御パターン指定釦３５ｃが押された状態においては、「次亜塩素酸ナトリウム＋紫外線」の制御パターン３２の指定信号３５ｃｃがハイレベルとなるので、各オアゲート４１、４４の出力はハイレベルであるので、設定値切換回路４２、４５がそれぞれ、設定注入量側、設定照射側に切替わる。その結果、注入量制御部４６と照射量制御部４７とが両方動作し、前段の着水池３の処理水に対して、操作者（オペレータ）が表示画面３３上で設定量入力部３７に書込んだ次亜塩素酸ナトリウムの注入量と、紫外線の照射量とに対応する量の次亜塩素酸ナトリウム及び紫外線が注入、照射される。
【００９２】
なお、この場合、次亜塩素酸ナトリウムと紫外線とが個別に注入、照射されるので、操作員（オペレータ）は、設定注入量と設定照射量を単独で行う場合に比較して、それぞれ１／２を目安に設定する。
【００９３】
以上で、監視制御部１２において、モード切換釦３６で「手動モード」が指定されている状態において、制御部指定釦３４ａで、前段部注入照射制御部１３を指定し、制御パターン指定釦３５ａ、３５ｂ、３５ｃで「次亜塩素酸ナトリウム」、「紫外線」、「次亜塩素酸ナトリウム＋紫外線」の一つが指定され、さらに、次亜塩素酸ナトリウム及び紫外線の注入量、照射量を指定した場合における前段部注入照射制御部１３が行う前段の着水池３に対する次亜塩素酸ナトリウムの注入、紫外線の照射の具体的動作を説明した。
【００９４】
操作者（オペレータ）は、同様な操作手順で、中段部注入照射制御部１９、及び後段部注入照射制御部２０を監視制御部１２から間接的に操作して、中段の沈殿池５の処理水及び後段の塩素混和池８の処理水に対して、監視制御部１２で任意に設定した量の次亜塩素酸ナトリウム及び紫外線の注入、照射が可能となる。
【００９５】
このように、浄水場施設における前段の着水池３、中段の沈殿池５の処理水及び後段の塩素混和池８の処理水に対して、前述した測定された当該段における処理水の濁度に応じた量の次亜塩素酸ナトリウム、紫外線を自動的に注入、照射する「コンピュータモード」、「自動モード」の他に、上述した「手動モード」を採用することによって、集中豪雨に起因して、流入する原水１の状態が急変した場合や、気温が異常に高い日が連続した場合等においては、「手動モード」で前段の着水池３、中段の沈殿池５の処理水及び後段の塩素混和池８の処理水に対する注入量、照射量を臨時に変更することが可能である。
【００９６】
ここで、藻類除去に紫外線を用いることによる浄水場施設運用におけるさらなる利点を説明する。浄水処理分野の凝集・沈殿設備では原水中の濁度を除去し、また、濁度を下げる目的から、凝集用薬品（凝集剤やｐＨ調整剤、凝集補助剤）を使用して、濁質（懸濁物）をフロックの形にして凝集させ、沈殿させる必要がある。
【００９７】
また、後段のろ過池ではこれら凝集した濁質を、砂ろ過槽などで、ろ過して取り除くことを行なう。緩速ろ過池、急速ろ過池などでは、ろ過池閉塞が著しくなるため、特に原水濁度をある程度まで先に落としておく必要があるため凝集・沈殿は重要な制御となる。
【００９８】
ここで、ろ過池閉塞阻害要因となる主原因に、原水中に含まれる藻類があるが、凝集剤を入れる前に、紫外線や次亜塩素酸ナトリウムで殺藻し、藻類を取り除くことは、凝集剤の使用量削減や年間の薬品コスト削減、ろ過池の閉塞を抑制することができるので、洗浄周期を長く保つことができる。そのため、水処理を行なう側（主として事業体、自治体）にとっては大きな利点となる。
【図面の簡単な説明】
【００９９】
【図１】本発明の一実施形態の水処理システム及びこの水処理システムが適用される浄水場施設を示す模式図
【図２】同実施形態の水処理システムに組込まれた監視制御部の概略構成を示すブロック図
【図３】同監視制御部内に形成された注入照射制御パターンテーブルの記憶内容を示す図
【図４】同監視制御部における表示部の表示内容を示す図
【図５】同実施形態の水処理システムにおける前段部注入照射制御部の概略構成を示すブロック図
【図６】同実施形態の水処理システムにおける濁度と次亜塩素酸ナトリウム、紫外線の注入照射量との関係、及びＵＶランプ数と指定照射量との関係を示す図
【符号の説明】
【０１００】
１…原水、２…沈砂池、３…着水池、４…フロック形成池、５…沈殿池、６…中間混和池、７…ろ過池、８…塩素混和池、９…配水池、１０…浄水、１１ａ〜１１ｃ…流量計、１２…監視制御部、１３…前段部注入照射制御部、１４ａ〜１４ｃ…濁度測定部、１５ａ〜１５ｃ…注入ポンプ、１６ａ〜１６ｃ…ＵＶランプ、１９…中段段部注入照射制御部、２０…後段部注入照射制御部、２１…注入照射制御パターンテーブル、２２…表示部、２３…操作部、２５…源水濁度判定部、２６…制御パターン読出部、２７…制御パターン設定部、２８…自動手動切換部、２９ａ〜２９ｃ…注入照射設定部、３０ａ〜３０ｃ…出力部、３１ａ〜３１ｃ…濁度範囲、３２…制御パターン、３３…表示画面、３４ａ〜３４ｃ…制御部指定釦、３５ａ〜３５ｃ…制御パターン指定釦、３６…モード切換釦、３７…設定量入力部、４６…注入量制御部、４７…照射量制御部、４８…濁度／注入量変換部、４９…濁度／照射量変換部、５０…注入ポンプ駆動部、５１…ＵＶランプ本数設定部
【図１】
0004746414.tif 000002
【図２】
0004746414.tif 000003
【図３】
0004746414.tif 000004
【図４】
0004746414.tif 000005
【図５】
0004746414.tif 000006
【図６】
0004746414.tif 000007